(57)【要約】【課題】ディスクの外周縁とディスク切換機構のディスク検知レバーとの当接時の当接量を大きく設定しつつ、他の部品との干渉を防止する。【解決手段】第２アーム４の端部の貫通孔１０に、ディスク切換アーム１５の第２ディスク支持部材１５ａが貫通される。ディスク切換アーム１５は、低位置と高位置との間で第２アーム４に対して相対上下動可能でありかつ相対回動可能である。そして、第２アーム４のカム１１とディスク切換アーム１５のカムフォロワ１５ｂとにより、非作動時はディスク切換アーム１５は低位置に設定され、また１２ｃｍのディスクがディスク当接部１５ｄを押圧することでディスク切換アーム１５が相対回動したときは、ディスク切換アーム１５は相対上動して高位置に設定される。【選択図】  図４
2010135001.tif 000002
【特許請求の範囲】
【請求項１】
搬送されてくる大径および小径のディスクによって回動される第１アームと、前記ディスクによって回動される第２アームと、前記第１および第２アームを同期回動させる同期機構とを少なくとも備えるディスク記録媒体処理装置において、
前記第１および第２アームの少なくとも一つに、相対回動可能にかつ相対上下動可能に設けられるとともに、前記大径のディスクの外周縁が当接するディスク当接部を少なくとも有するディスク切換アームと、前記ディスク切換アームが相対回動することで前記ディスク切換アームを相対上下動させる上下動機構とを備え、
前記ディスク切換アームは、前記大径のディスクの外周縁と前記ディスク当接部の当接量が多い低位置と前記当接量が少ない高位置とが設定されており、
前記上下動機構は、前記第１および第２アームの少なくとも一つの非作動の初期位置で前記ディスク切換アームを前記低位置に設定し、前記ディスク切換アームが相対回動したとき前記ディスク切換アームを前記高位置に設定することことを特徴とするディスク記録媒体処理装置。
【請求項２】
前記上下動機構はカム機構であることを特徴とする請求項１に記載のディスク記録媒体処理装置。
【発明の詳細な説明】
【技術分野】
【０００１】
本発明は、ＣＤ、ＤＶＤ、ブルーレイ等の円板状のディスク記録媒体に対する記録事項の再生処理およびディスク記録媒体に対する記録事項の記録処理の少なくとも１つを行うディスク記録媒体処理装置であって、ディスク記録媒体の外周縁を支持可能にかつ互いに同期して回動可能に設けられる一対のアームを備えるディスク記録媒体処理装置の技術分野に属する。
【背景技術】
【０００２】
従来、この種のディスク記録媒体処理装置においては、ディスク切換機構を備えたディスク記録媒体処理装置が知られている（例えば、特許文献１参照）。このディスク切換機構は、先端に検知ピンをそれぞれ有する一対のディスク検知レバーを備えている。その場合、装置本体内に挿入される８ｃｍのディスクと１２ｃｍのディスクの外周縁がディスク検知ピンに当接すること一対のディスク検知レバーが水平面内で回動して、挿入されるディスクをドライブ位置（ディスククランプ位置）に搬送する。このとき、ディスクのサイズに応じて一対のディスク検知レバーの回動量が異なることから、この回動量に基づいて、ディスクのサイズを検知している。そして、ディスク切換機構は、ディスクの異なるサイズに応じてディスクの位置決めピンの位置を切り換えて、異なるサイズのディスクをいずれも同一のドライブ位置にセンタリングしている。一対のディスク検知レバーは、ディスクが装置本体内に挿入されないときにはばね等の付勢手段で初期の待機位置に付勢されている。
【０００３】
【特許文献１】特開２０００−６７４９６号公報。
【発明の開示】
【発明が解決しようとする課題】
【０００４】
ところで、特許文献１に記載のディスク記録媒体処理装置におけるディスク切換機構では、挿入されるディスクの外周縁が当接するディスク検知ピンが同一水平面内で一定の高さで回動して、ディスクを搬送するようになっている。しかしながら、ディスク検知ピンの回動領域でこのディスク検知ピンの下方には、ディスク記録媒体処理装置の他の部品が存在するために、ディスク検知ピンはその回動中にこの部品に干渉してしまうおそれがある。したがって、ディスク検知ピンを下方にあまり突出させることはできない。このため、ディスク検知ピンとディスクの外周縁との当接量（引っ掛かり量）が小さく規制されている。
【０００５】
一方、ディスクの外周縁がディスク検知ピンに当接して一対のディスク検知レバーを回動開始する際に、一対のディスク検知レバーが待機位置に付勢されていることから、比較的大きな力が必要となる。しかし、前述のようにディスク検知ピンとディスクの外周縁との引っ掛かり量が小さいと、ディスクの外周縁がディスク検知ピンを安定して押圧することが難しくなるという問題が考えられる。
【０００６】
本発明はこのような事情に鑑みてなされたものであって、その目的は、ディスクの外周縁とディスク切換機構のディスク検知レバーとの当接時の当接量を大きく設定しつつ、他の部品との干渉を防止することのできるディスク記録媒体処理装置を提供することである。
【課題を解決するための手段】
【０００７】
前述の課題を解決するために、本発明のディスク記録媒体処理装置は、搬送されてくる
大径および小径のディスクによって回動される第１アームと、前記ディスクによって回動される第２アームと、前記第１および第２アームを同期回動させる同期機構とを少なくとも備えるディスク記録媒体処理装置において、前記第１および第２アームの少なくとも一つに、相対回動可能にかつ相対上下動可能に設けられるとともに、前記大径のディスクの外周縁が当接するディスク当接部を少なくとも有するディスク切換アームと、前記ディスク切換アームが相対回動することで前記ディスク切換アームを相対上下動させる上下動機構とを備え、前記ディスク切換アームが、前記大径のディスクの外周縁と前記ディスク当接部の当接量が多い低位置と前記当接量が少ない高位置とが設定されており、前記上下動機構が、前記第１および第２アームの少なくとも一つの非作動の初期位置で前記ディスク切換アームを前記低位置に設定し、前記ディスク切換アームが相対回動したとき前記ディスク切換アームを前記高位置に設定することことを特徴としている。
また、本発明のディスク記録媒体処理装置は、前記上下動機構がカム機構であることを特徴としている。
【発明の効果】
【０００８】
このように構成された本発明のディスク記録媒体処理装置によれば、大径のディスクの外周縁が当接するディスク当接部を有するディスク切換アームを、第１および第２アームの少なくとも１つに相対回動可能にかつ相対上下動可能に設けている。そして、上下動機構により、第１および第２アームの少なくとも一つの非作動の初期位置でディスク切換アームを低位置に設定し、ディスク切換アームが相対回動したときディスク切換アームを高位置に設定している。これにより、大径のディスクのディスク当接部への当接時は、ディスク切換アームが低位置にあるので、大径のディスクとディスク当接部との当接量を多くできる。したがって、大径のディスクをディスク当接部に安定して当接させて押圧することができる。
【０００９】
また、大径のディスクの回動によるディスクの搬送中には、ディスク切換アームが高位置にあるので、このディスク切換アームの下方でディスク切換アームの移動領域内に存在する他の部品と干渉することを防止できる。
【００１０】
更に、ディスク切換アームを第２アームに対して相対的に上下動させる上下動機構としてカム機構を採用することで、ディスク切換アームの上下動機構の構造を簡単にかつコンパクトに構成することができる。
【発明を実施するための最良の形態】
【００１１】
以下、図面を用いて本発明を実施するための最良の形態について説明する。
図１は、本発明に係るディスク記録媒体処理装置の実施の形態の一例を模式的にかつ部分的に示す図である。
図１に示すように、この例のディスク記録媒体処理装置１は装置本体２を備えている。この装置本体２には、一対の第１および第２アーム３,４がそれぞれディスクのドライブ
位置の近傍に配設されている。第１アーム３の一端部３ａが回転軸５により回動可能に装置本体２に支持されているとともに、第２アーム４の一端部４ａが回転軸６により回動可能に装置本体２に支持されている。
【００１２】
第１アーム３の一端部３ａには、所定数の外歯７ａを有する円弧状のギア７が形成されている。また、第１アーム３の他端部３ｂには、円筒状の第１ディスク支持部材３ｃが設けられている。この第１ディスク支持部材３ｃには、装置本体２内に挿入されてきたディスクの外周縁が当接支持されるようになっている。
【００１３】
一方、図２（ａ）に示すように、第２アーム４の一端部４ａには、第１アーム３の外歯７ａと同数の外歯８ａを有する円弧状のギア８が形成されている。そして、第１アーム３
のギア７と第２アーム４のギア８とが常時噛合されている。したがって、第１アーム３と第２アーム４は同期（連動）して互いに逆方向に回動するようになっている。すなわち、２つのギア７,８により、本発明の同期機構が構成されている。
【００１４】
第１アーム３はばね等の付勢手段（不図示）で常時時計回りに付勢されており、またこれに伴い第２アーム４は常時反時計回りに付勢されている。そして、ディスク記録媒体処理装置１の非作動状態では、第１アーム３は図示しないストッパ手段で図１に示す初期位置に保持され、これに伴い第２アーム４も図示しないストッパ手段で図１に示す初期位置に保持されている。
【００１５】
また、第２アーム４の他端部４ｂには、ディスク切換アーム支持部９が形成されている。図３に示すように、このディスク切換アーム支持部９は貫通孔１０が穿設されている。また、この貫通孔１０の内周面には、円環状のカム１１が設けられている。このカム１１は、低位置部１１ａ、高位置部１１ｂと、これらの低位置部１１ａおよび高位置部１１ｂとを連結する傾斜部１１ｃとからなっている。
【００１６】
貫通孔１０を形成するディスク切換アーム支持部９において、カム１１の上方の一部が切り欠かれた切欠部１２が形成されている。そして、この切欠部の一端が第１ストッパ１３とされている。
【００１７】
図２（ｂ）に示すように、ディスク切換アーム支持部９には、ディスク切換アーム１５が相対回動可能に設けられている。図４に示すように、ディスク切換アーム１５は、円筒状の第２ディスク支持部材１５ａが設けられている。この第２ディスク支持部材１５ａの上端部外周面には、円弧状のカムフォロワ１５ｂが設けられている。このカムフォロワ１５ｂの図４において左端は、上方に向かって円弧長が長くなるような傾斜したガイド面１５ｂ1とされている。また、ディスク切換アーム１５には、第１ストッパピン１５ｃが上
方に突設されているとともに、１２ｃｍのディスクの外周縁が当接するディスク当接部１５ｄが設けられている。更に、ディスク切換アーム１５には、第２ストッパピン１５ｅが第２ディスク支持部材１５ａの近傍に位置して上方に突設されている。
【００１８】
図２（ｂ）に示すように、このディスク切換アーム１５は、第２ディスク支持部材１５ａが円環状のカム１１の内孔に回転方向および軸方向（上下方向）のいずれの方向にも相対摺動可能に上方から貫通される。また、このとき、カムフォロワ１５ｂの外周面が貫通孔１０の内周面と回転方向および上下方向のいずれの方向にも相対摺動可能となっている。更に、図示しないばね等の付勢手段で、ディスク切換アーム１５は第２アーム４に対して図２（ｂ）において反時計回りに軽く付勢されている。したがって、図２（ｂ）および図５（ａ）に示すように第２アーム４の非作動時の初期位置では、ディスク切換アーム１５は、第２ストッパピン１５ｅがディスク切換アーム支持部９の第１ストッパ１３に当接した位置に保持されている。そして、第１および第２アーム３,４が図１に示す初期位置
にあるときは、第１および第２ディスク支持部材３ｃ,１５ａは、小径の８ｃｍのディス
クをドライブ位置にセンタリングする位置に設定される。
【００１９】
その場合、小径の８ｃｍのディスクは第２ディスク支持部材１５ａのカムフォロワ１５ｂより下部（以下、単に第２ディスク支持部材１５ａの下部という）に当接可能であるが、ディスク当接部１５ｄには当接不能となっている。一方、図２（ｂ）および図５（ａ）に示す第２ストッパピン１５ｅが第１ストッパ１３に当接した状態では、大径の１２ｃｍのディスクは挿入されてくると最初にディスク当接部１５ｄに当接し、次にこのディスク当接部１５ｄを押圧することで図５（ａ）に示す反時計回りβにディスク切換アーム１５が第２アーム４に対して相対回動し、第２ディスク支持部材１５ａの下部に当接するようになっている。そして、１２ｃｍのディスクが第２ディスク支持部材１５ａの下部に当接
したとき、ディスク切換アーム１５は相対回動を停止し図５（ｃ）に示す位置に保持される。
【００２０】
また、第２ストッパピン１５ｅが第１ストッパ１３に当接した状態では、カムフォロワ１５ｂがカム１１の低位置部１１ａに支持されている。したがって、この状態では、ディスク切換アーム１５は低位置に設定される。このとき、カムフォロワ１５ｂのガイド面１５ｂ1がカム１１の傾斜部１１ｃに当接しているか、あるいは若干回転方向に離間してい
る。
【００２１】
一方、ディスク切換アーム１５が第２アーム４に対して反時計回りβに相対回動すると、カムフォロワ１５ｂのガイド面１５ｂ1がカム１１の傾斜部１１ｃに乗り上げるので、
ディスク切換アーム１５は相対回動しながら第２アーム４に対して相対的に上動するようになる。そして、ディスク切換アーム１５が図５（ｃ）に示す位置に設定された状態では、カムフォロワ１５ｂがカム１１の高位置部１１ｂに乗り上げかつ支持されようになっている。したがって、この状態では、ディスク切換アーム１５は高位置に設定される。
【００２２】
図１および図５（ａ）に示すように、装置本体２には第２ストッパ１６が設けられている。その場合、第２ストッパピン１５ｅが第１ストッパ１３に当接した状態、つまりディスク切換アーム１５が第２アーム４に対して相対回動しない非作動状態で第２アーム４およびディスク切換アーム１５が一体に図５（ａ）において反時計回りαに回動したとき、図５（ｂ）に示すように第１ストッパピン１５ｃが第２ストッパ１６に当接して、第２アーム４およびディスク切換アーム１５のそれ以上の反時計回りαの回動が阻止されるようになっている。この第１ストッパピン１５ｃが第２ストッパ１６に当接した位置では、８ｃｍのディスクがドライブ位置にセンタリングされた後、第２ディスク支持部材１５ａが８ｃｍのディスクの外周縁から離間した状態となる。
【００２３】
また、ディスク切換アーム１５が図５（ａ）に示す状態から第２アーム４に対して反時計回りβに相対回動して、ディスク切換アーム１５が図５（ｃ）に示す位置に設定された状態では、第１ストッパピン１５ｃが第２ストッパ１６に当接不能な位置となる。これにより、ディスク切換アーム１５のこの状態では、第４アーム４およびディスク切換アーム１５が一体に反時計回りαに回動しても、第１ストッパピン１５ｃは第２ストッパ１６に当接しない。したがって、第４アーム２は反時計回りαに大きく回動可能となる。
【００２４】
このように構成されたこの例のディスク記録媒体処理装置１においては、その非作動状態では第１および第２アーム３,４は、図１に示す初期位置に保持されている。また、デ
ィスク切換アーム１５は、第２ストッパピン１５ｅがディスク切換アーム支持部９の第１ストッパ１３に当接した位置に保持されている。したがって、ディスク切換アーム１５は、カムフォロワ１５ｂがカム１１の低位置部１１ａに支持されているので、低位置に設定されている。
【００２５】
そして、この状態で、従来の公知のディスク記録媒体処理装置１と同様に、図示しないディスク挿入取出口から小径の８ｃｍのディスクＤSが装置本体２内に挿入されると、図
１に示すようにディスクＤSは公知のディスク搬送手段（不図示）により左方からドライ
ブ位置の方へ搬送される。
【００２６】
搬送されてきたディスクＤSはその外周縁Ｄｓ1が第１および第２アーム３,４の第１デ
ィスク支持部材３ｃおよび第２ディスク支持部材１５ａの下部に当接する。その場合、小径の８ｃｍのディスクＤSの外周縁ＤS1はディスク当接部１５ｄに当接しなく、直接第２
ディスク支持部材１５ａの下部に当接する。ディスクＤSは第１および第２ディスク支持
部材３ｃ,１５ａに当接した位置で停止し、ドライブ位置にセンタリングされる。このと
き、ディスク切換アーム１５が低位置に設定されているため、ディスクＤSの外周縁ＤS1
と第２ディスク支持部材１５ａとの引っ掛かり量が従来に比べて多くなっている。したがって、ディスクＤSの外周縁ＤS1は第２ディスク支持部材１５ａに安定して当接しセンタ
リングされる。そして、図示しないクランパによってディスクＤSがクランプされる。
【００２７】
その後、第１アーム３は公知のアーム駆動手段１７によって図１において反時計回りに若干回動される。すると、第２アーム４が図１において時計回りに回動する。このとき、ディスク切換アーム１５は第２アーム４に対して相対回動しないため、その初期位置を保持して第２アーム４と一体に回動する。図５（ｂ）に示すように、第１ストッパピン１５ｃが第２ストッパ１６に当接すると、第２アーム４およびディスク切換アーム１５の回動が停止するとともに、第１アーム３の回動が停止する。これにより、第１および第２アーム３,４の第１および第２ディスク支持部材３ｃ,１５ａはドライブ位置に設定されたディスクＤSの外周縁ＤS1から若干離間保持され、この外周縁ＤS1に接触することはない。こ
うして、８ｃｍのディスクＤSに対する再生または記録処理が実行可能となる。８ｃｍの
ディスクＤSに対する再生または記録処理が終了すると、ディスクＤSの挿入およびセンタリングと逆の動作が行われ、ディスクＤSが装置本体２から排出される。その詳細な説明
は省略する。
【００２８】
一方、ディスク記録媒体処理装置１の非作動状態で、図６に示すように大径の１２ｃｍのディスクＤLが装置本体２内に挿入されると、同様にしてディスクＤLは左方からドライブ位置の方へ搬送される。
【００２９】
搬送されてきたディスクＤLは、その外周縁ＤL1が第１アーム３の第１ディスク支持部
材３ｃに当接するとともに、ディスク切換アーム１５のディスク当接部１５ｄに当接する。その場合、大径の１２ｃｍのディスクＤLの外周縁ＤL1は第２ディスク支持部材１５ａ
には当接しない。このとき、ディスク切換アーム１５が低位置に設定されているため、ディスクＤLの外周縁ＤL1とディスク当接部１５ｄとの引っ掛かり量が多くなっている。し
たがって、ディスクＤLの外周縁ＤL1はディスク当接部１５ｄに安定して当接する。
【００３０】
更に、ディスクＤLが右方へ搬送されると、第１アーム３が反時計回りに回動開始しか
つ第２アームが同期して時計回りに回動開始する。このとき、ディスクＤLの外周縁ＤL1
とディスク当接部１５ｄとの引っ掛かり量が多いことから、第１および第２アーム３,４
は確実に回動開始するようになる。また同時に、ディスクＤLの外周縁ＤL1が第２ディス
ク支持部材１５ａを押圧するので、ディスク切換アーム１５が第２アーム４に対して図５（ａ）に示す反時計回りβに相対回動開始する。同様に、ディスクＤLの外周縁ＤL1とデ
ィスク当接部１５ｄとの引っ掛かり量が多いことから、ディスク切換アーム１５は確実に相対回動開始するようになる。
【００３１】
ディスク切換アーム１５が相対回動すると、カム１１によりカムフォロワ１５ｂが相対上動させられるので、ディスク切換アーム１５が第２アーム４に対して相対上動する。そして、ディスクＤLの外周縁ＤL1が第２ディスク支持部材１５ａの下部に当接すると、デ
ィスク切換アーム１５の相対回動および相対上動が停止する。このとき、ディスク切換アーム１５はカム１１の高位置部１１ｂに支持されて高位置に設定される。したがって、ディスクＤLの外周縁ＤL1と第２ディスク支持部材１５ａとの引っ掛かり量が少なくなり従
来と同じ程度になるが、第１および第２アーム３,４はすでに回動開始しているので、デ
ィスクＤLの外周縁ＤL1と第２ディスク支持部材１５ａとの当接は安定している。
【００３２】
また、ディスクＤLの外周縁ＤL1が第２ディスク支持部材１５ａの下部に当接したとき
には、図５（ｃ）に示すように第１ストッパピン１５ｃが第２ストッパ１６に当接しない位置となっている。したがって、ディスクＤLの更なる右方への搬送により、第１アーム
３は反時計回りにまた第２アーム４は時計回りに更に回動する。この第２アーム４の回動中、ディスク切換アーム１５は高位置に設定されているので、このディスク切換アーム１５の下方でディスク切換アーム１５の移動領域内に存在する他の部品と干渉することはない。
【００３３】
ディスクＤLがドライブ位置に来ると、従来と同様にしてディスクＤLが停止されてドライブ位置にセンタリングされる。そして、ディスクＤLがクランパによってクランプされ
る。その後、第１アーム３はアーム駆動手段１７によって図１において反時計回りに更に回動され、これに同期して第２アーム４が図１において時計回りに回動する。これにより、第１および第２アーム３,４の第１および第２ディスク支持部材３ｃ,１５ａはドライブ位置に設定されたディスクＤLの外周縁ＤL1から離間され、この外周縁ＤL1に接触するこ
とはない。そして、ロック部材１８が作動して第１アーム３がこの位置に保持されるとともに、第２アーム４もこの位置に保持される。
【００３４】
また、このとき、ディスク当接部１５ｄもディスクＤLの外周縁ディスクＤL1から離間
するため、ディスク切換アーム１５は第２アーム４に対して反時計回りに相対回動する。そして、ディスク切換アーム１５は、第２ストッパピン１５ｅがディスク切換アーム支持部９の第１ストッパ１３に当接したとき、その位置に停止保持される。こうして、１２ｃｍのディスクＤLに対する再生または記録処理が実行可能となる。１２ｃｍのディスクＤLに対する再生または記録処理が終了すると、ディスクＤLの挿入およびセンタリングと逆
の動作が行われ、ディスクＤLが装置本体２から排出される。その詳細な説明は省略する
。
【００３５】
この例のディスク記録媒体処理装置１によれば、１２ｃｍのディスクＤLの外周縁ＤL1
を下部で支持する第２ディスク支持部材１５ａを有するディスク切換アーム１５を、第２アーム４に相対回動することで相対上動するように設けている。そして、第２アーム４の非作動の初期位置では、ディスク切換アーム１５を低位置に設定し、ディスクＤLの外周
縁ＤL1がディスク当接部１５ｄに当接し、ディスク切換アーム１５を押圧して第２アーム４に対して相対回動することで、ディスク切換アーム１５を高位置に設定する。これにより、ディスクＤLのディスク当接部１５ｄへの当接時は、ディスク切換アーム１５が低位
置にあるので、ディスクＤLとディスク当接部１５ｄとの当接量（引っ掛かり量）を多く
できる。したがって、ディスクＤLをディスク当接部１５ｄに安定して当接させて押圧す
ることができる。
【００３６】
また、第２ディスク４の回動によるディスクの搬送中には、ディスク切換アーム１５が高位置にあるので、このディスク切換アーム１５の下方でディスク切換アーム１５の移動領域内に存在する他の部品と干渉することを防止できる。
【００３７】
更に、ディスク切換アーム１５を第２アーム４に対して相対的に上下動させる上下動機構として、カム１１とカムフォロワ１５ｂとからなるカム機構を採用しているので、ディスク切換アーム１５の上下動機構の構造を簡単にかつコンパクトに構成することができる。
【００３８】
なお、ディスク記録媒体処理装置は前述の例に限定されることはなく、例えば、ディスク切換アーム１５は第１アーム３側に設けることもできるし、第１および第２アーム３,
４の両方に設けることもできる。要は、特許請求の範囲に記載されている事項に基づいて種々設計変更可能である。
【産業上の利用可能性】
【００３９】
本発明のディスク記録媒体処理装置は、ＣＤ、ＤＶＤ、ブルーレイ等の円板状のディス
ク記録媒体に対する記録事項の再生処理およびディスク記録媒体に対する記録事項の記録処理の少なくとも１つを行うディスク記録媒体処理装置であって、ディスク記録媒体の外周縁を支持可能にかつ互いに同期して回動可能に設けられる一対のアームを備えるディスク記録媒体処理装置に好適に利用することが可能である。
【図面の簡単な説明】
【００４０】
【図１】本発明に係るディスク記録媒体処理装置の実施の形態の一例を模式的にかつ部分的に示し、８ｃｍのディスクが挿入された場合を示す図である。
【図２】（ａ）は第２アームを示す斜視図、（ｂ）はディスク切換アームが組み付けられた状態の第２アームを示す斜視図である。
【図３】図２（ａ）に示す第２アームの他端部を示す部分拡大斜視図である。
【図４】図２（ｂ）に示すディスク切換アームを示す部分拡大斜視図である。
【図５】（ａ）は第２アームとディスク切換アームとの初期位置を示す図、（ｂ）は８ｃｍのディスクにおける第２アームとディスク切換アームとの作動を説明する図、（ｃ）は１２ｃｍのディスクにおける第２アームとディスク切換アームとの作動を説明する図である。
【図６】１２ｃｍのディスクが挿入された場合を示す、図１と同様の図である。
【符号の説明】
【００４１】
１…ディスク記録媒体処理装置、２…装置本体、３…第１アーム、３ｃ…第１ディスク支持部材、４…第２アーム、７,８…ギア、１１…カム、１１ａ…低位置部、１１ｂ…高位
置部、１１ｃ…傾斜部、１３…第１ストッパ、１５…ディスク切換アーム、１５ａ…第２ディスク支持部材、１５ｂ…カムフォロワ、１５ｃ第１ストッパピン、１５ｄ…ディスク当接部、１５ｅ…第２ストッパピン、１６…第２ストッパ、ＤS…８ｃｍのディスク、ＤS1…８ｃｍのディスクの外周縁、ＤL…１２ｃｍのディスク、ＤL1…１２ｃｍのディスクの外周縁
【図１】
2010135001.tif 000003
【図２】
2010135001.tif 000004
【図３】
2010135001.tif 000005
【図４】
2010135001.tif 000006
【図５】
2010135001.tif 000007
【図６】
2010135001.tif 000008